(57)【要約】【課題】内筒と外筒の取付強度を低下させることなく、内筒の外面と外筒の内面との間に十分な大きさの空気通路を確保する。【解決手段】筆記具のキャップ１は、両端が開口された外筒２と、一端が開口され且つ他端が閉塞された内筒３とからなる。外筒２の内面に、複数の内方凸部２１を周状に分散配置する。内筒３の外面に、複数の外方凸部３１を周状に分散配置する。内方凸部２１と外方凸部３１とを互いに乗り越え係合させる。内方凸部２１の相互間の隙間と外方凸部３１の相互間の隙間とを軸方向に連通させ、外筒２内面と内筒３外面との間に空気通路を形成する。【選択図】　図１
2004130642.tif 000002
【特許請求の範囲】
【請求項１】
一端が開口され且つ他端が閉塞された内筒の外面を、両端が開口された外筒の内面に係合させ、前記内筒の外面と前記外筒の内面との間に空気通路を形成した筆記具のキャップであって、前記外筒の内面に、複数の内方凸部を周状に分散配置し、前記内筒の外面に、複数の外方凸部を周状に分散配置し、前記内方凸部と前記外方凸部とを互いに乗り越え係合させ、前記内方凸部の相互間の隙間と前記外方凸部の相互間の隙間とを軸方向に連通させ、前記内方凸部の相互間及び前記外方凸部の相互間に空気通路を形成したことを特徴とする筆記具のキャップ。
【請求項２】
前記内方凸部の相互間の外筒の内面または前記外方凸部の相互間の内筒の外面に、係合状態の内方凸部の相互間及び外方凸部の相互間を軸方向に貫通する凹部を設けた請求項１記載の筆記具のキャップ。
【請求項３】
前記外筒の内面及び前記内筒の外面に、係合凹部と係合凸部とからなる回転方向の位置決め係合部を設けた請求項１または２記載の筆記具のキャップ。
【請求項４】
前記内筒の閉塞側に、前記外筒の前端と当接する鍔部を設け、前記鍔部に、前記空気通路が前方に開口可能な切り欠きまたは孔を設けた請求項１記載の筆記具のキャップ。
【発明の詳細な説明】
【０００１】
【発明の属する技術分野】
本発明は、筆記具のキャップに関する。詳細には、幼児が誤って飲み込んだとしても窒息することのないキャップ（いわゆる通気キャップ）に関する。尚、本発明で、「前」とは、キャップの閉塞側を指し、「後」とは、その反対側のキャップの開口側（ペン先挿入側）を指す。
【０００２】
【従来の技術】
従来、一端が開口し他端が閉塞された内筒を、両端が開口された外筒内に係合させ、前記内筒の外面と前記外筒の内面との間に空気通路を形成した通気キャップとして、例えば、（ａ）実開平５−１８８７９号、及び（ｂ）実用新案登録第２５９５５５４号公報が挙げられる。前記（ａ）の公報には、内キャップ（本願の内筒に相当）外面に設けた環状凹部に、外キャップ（本願の外筒に相当）内面に設けた弧状凸部（本願の内方凸部に相当）を嵌着させる構成が開示され、前記（ｂ）の公報には、内キャップ部材（本願の内筒に相当）の外面に設けた複数の係止用突出部（本願の外方凸部に相当）が、外筒部材（本願の外筒に相当）の内面に設けた環状突出部に係合係止する構成が開示されている。
【０００３】
【発明が解決しようとする課題】
前記（ａ）のキャップは、弧状凸部の相互間の隙間が、環状凹部との係合により小さくなるおそれがあり、前記（ｂ）のキャップは、複数の係止用突出部の相互間の隙間が、環状突出部との係合により小さくなるおそれがある。即ち、前記（ａ）、（ｂ）のいずれのキャップも、十分な空気流量を得るための十分な大きさの空気通路を確保できないおそれがある。
【０００４】
また、前記十分な大きさの空気通路を確保するために、前記（ａ）の場合、弧状凸部と環状凹部との径方向の係合しろを小さく設定したり、前記（ｂ）の場合、係止用突出部と環状突出部の径方向の係合しろを小さく設定することが考えられるが、その場合、内筒と外筒の取付強度が低下するおそれがある。
【０００５】
本発明は前記従来の問題点を解決するものであって、内筒と外筒の取付強度を低下させることなく、内筒の外面と外筒の内面との間に十分な大きさの空気通路を確保できる筆記具のキャップを提供しようとするものである。
【０００６】
【課題を解決するための手段】
〔１〕本発明は、一端が開口され且つ他端が閉塞された内筒３の外面を、両端が開口された外筒２の内面に係合させ、前記内筒３の外面と前記外筒２の内面との間に空気通路６を形成した筆記具のキャップ１であって、前記外筒２の内面に、複数の内方凸部２１を周状に分散配置し、前記内筒３の外面に、複数の外方凸部３１を周状に分散配置し、前記内方凸部２１と前記外方凸部３１とを互いに乗り越え係合させ、前記内方凸部２１の相互間の隙間６１と前記外方凸部３１の相互間の隙間６２とを軸方向に連通させ、前記内方凸部２１の相互間及び前記外方凸部３１の相互間に空気通路６を形成したこと（請求項１）を要件とする。
【０００７】
複数の内方凸部２１と複数の外方凸部３１とを互いに乗り越え係合させ、内方凸部２１の相互間の隙間６１と外方凸部３１の相互間の隙間６２とを軸方向に連通させたことにより、前記内方凸部２１の相互間及び前記外方凸部３１の相互間に十分な大きさの空気通路６を形成できる。さらに、前記十分な空気通路６が得られることから、内方凸部２１と外方凸部３１の径方向の係合しろを小さくする必要がなくなるため、十分な取付強度が得られ、内筒３が外筒２に対してぐらついたり、脱落するおそれがない。
【０００８】
〔２〕前記請求項１の筆記具のキャップ１において、前記内方凸部２１の相互間の外筒２の内面または前記外方凸部３１の相互間の内筒３の外面に、係合状態の内方凸部２１の相互間及び外方凸部３１の相互間を軸方向に貫通する凹部３３を設けること（請求項２）が好ましい。
【０００９】
前記凹部３３により、外筒２の内面と内筒３の外面との間の、内方凸部２１の相互間及び外方凸部３１の相互間に、より一層、十分な空気流量が得られる大きな空気通路６を形成することができる。
【００１０】
〔３〕前記請求項１または２の筆記具のキャップ１において、前記外筒２の内面及び前記内筒３の外面に、係合凹部２２と係合凸部３２とからなる回転方向の位置決め係合部を設けること（請求項３）が好ましい。
【００１１】
前記係合凹部２２と前記係合凸部３２とが係合することにより、外筒２の内面の内方凸部２１と内筒３の外面の外方凸部３１とが前後方向に乗り越え係合する直前に、回転方向の位置決めがなされる。そのため、内方凸部２１と外方凸部３１とを、確実に乗り越え係合させることができる。
【００１２】
〔４〕前記請求項１の筆記具のキャップ１において、前記内筒３の閉塞側に、前記外筒２の前端と当接する鍔部３６を設け、前記鍔部３６に、前記空気通路６が前方に開口可能な切り欠き３６ａまたは孔を設けること（請求項４）が好ましい。
【００１３】
それにより、内筒３の閉塞部３４の中央に孔等の通気手段を設ける必要がなく、外観が向上し、さらに、空気通路６を開口させるための通気手段（切り欠き３６ａまたは孔）を、外筒２ではなく、内筒３の鍔部３６に設けたことにより、内筒３と外筒２との取付強度が低下するおそれがない。
【００１４】
【発明の実施の形態】
本発明の実施の形態を図面に従って説明する。
【００１５】
本発明の一実施例を図１乃至図７に示す。図１乃至図３は外筒２と内筒３との係合状態を示し、図４は外筒２を示し、図５乃至図７は内筒３を示す。本実施例の筆記具のキャップ１は、外筒２と、内筒３と、クリップ４と、ペン先シール部材５とからなる。前記外筒２は、両端が開口されている。前記内筒３は、前端が閉塞され且つ後端が開口され、前記外筒２の前端開口部に取り付けられる。前記ペン先シール部材５は、弾性材料からなり、前記内筒３内に圧入配置される。前記クリップ４は、前記外筒２の外面に取り付けられる。
【００１６】
前記外筒２は、合成樹脂の射出成形より得られる円筒体である。前記外筒２の外面には、クリップ４の基部が挿入固定される溝を備えた膨出部２３が設けられる。前記外筒２は、膨出部２３側から膨出部２３の反対側に向かうに従い前方に突出するよう傾斜した前端面を備える。前記外筒２の膨出部２３の反対側の前端開口部の内面には、係合凹部２２が形成される。前記係合凹部２２は、軸方向前方に開口され且つ径方向内方に開口される。さらに、前記係合凹部２２より後方の、外筒２の内周面には、複数（具体的には４個）の内方凸部２１が周状に等間隔に分散配置される。前記内方凸部２１は、前端に傾斜面状の面取り部２１ａを備える。尚、前記膨出部２３及び前記内方凸部２１は、外筒２に一体に成形される。
【００１７】
前記内筒３は、合成樹脂の射出成形により得られる有底の円筒体である。前記内筒３は、傾斜した前端面を有する閉塞部３４と、該閉塞部３４から後方に突出する円筒状の筒部３５とを備える。前記閉塞部３４と前記筒部３５とが一体に連設される。
【００１８】
前記筒部３５の外周面には、複数（具体的には４個）の外方凸部３１が周状に分散配置される。そして、前記複数の外方凸部３１は、各々、前記外筒２の内面の複数の内方凸部２１と乗り越え係合する。前記外方凸部３１は、後端に傾斜面状の面取り部３１ａを備える。前記面取り部３１ａは、内方凸部２１との乗り越え係合時、前記内方凸部２１の面取り部２１ａと当接し、引っ掛かりのないスムーズな乗り越え係合を可能にする。
【００１９】
前記外筒２の内面の内方凸部２１に、前記内筒３の外面の外方凸部３１を乗り越え係合させると、内筒３の外方凸部３１と外筒２内面とが径方向に圧接されるか、あるいは外筒２の内方凸部２１と内筒３外面が径方向に圧接される。そして、前記外筒２内面と前記内筒３外面との間における、前記内方凸部２１の相互間及び前記外方凸部３１の相互間には、隙間６１，６２が形成される。前記内方凸部２１の相互間の隙間６１と、前記外方凸部３１の相互間の隙間６２は、軸方向に連通し、それにより、内筒３外面と外筒２内面との間に、軸方向の空気通路６が設けられる。
【００２０】
前記内方凸部２１と前記外方凸部３１は、同じ個数（即ち各々４個）に設定される。さらに、前記内方凸部２１と前記外方凸部３１の周方向の幅寸法は、略等しく設定される。それにより、内方凸部２１の相互間の隙間６１と外方凸部３１の相互間の隙間６２の横断面のシルエットが略一致する。そのため、より一層、内方凸部２１と外方凸部３１との係合力の低下を防止すると共に、隙間６１と隙間６２との接続箇所において空気通路６の横断面積の減少を抑える。
【００２１】
前記外方凸部３１の相互間の内筒３の外面には、外方凸部３１の前後の内筒３の外面よりも深く、軸方向に凹部３３が形成される。前記凹部３３は、少なくとも、係合状態の内方凸部２１の相互間と外方凸部３１の相互間とを軸方向に貫通する長さを有するよう設定される。それにより、内方凸部２１の相互間の隙間６１の横断面積及び外方凸部３１の相互間の隙間６２の横断面積（即ち空気通路６の横断面積）を、一層、大きく設定できる。尚、前記凹部３３は、前記以外にも、内方凸部２１の相互間の外筒２の内面に設ける構成でもよい。
【００２２】
前記内筒３の筒部３５の外面の基部には、前記外筒２の内面の係合凹部２２と係合可能な係合凸部３２が形成される。前記係合凸部３２の周方向の幅寸法は、前記係合凹部２２の周方向の幅寸法より僅かに小さく設定される。前記内筒３外面の外方凸部３１と前記外筒２内面の内方凸部２２とを係合させる際、前記係合凸部３２は前記係合凹部２２と係合し、内筒３と外筒２との間の回転方向の位置決めをする。それにより、内方凸部２１と外方凸部３１とを確実に前後方向に乗り越え係合させることができる。尚、前記以外にも、前記係合凹部２２を内筒３の内面に設けると共に、前記係合凸部３２を外筒２の外面に設ける構成でもよい。
【００２３】
前記閉塞部３４の外周には、径方向に突出する鍔部３６が周状に形成される。前記鍔部３６は、内筒３外面の外方凸部３１と外筒２内面の内方凸部２１とが係合した後、外筒２の傾斜した前端面と当接する。前記鍔部３６のクリップ反対側には、軸方向に貫通し且つ径方向外方に開口する２個の切り欠き３６ａが設けられる。前記切り欠き３６ａを介して、内筒３外面と外筒２内面との間の空気通路６が前方に開口する。尚、前記切り欠き３６ａ以外に、前記鍔部３６に軸方向に孔を貫設する構成でもよい。
【００２４】
尚、前記内筒３の閉塞部３４及び前記外筒２の前端面は、軸線に対して垂直な面であってもよい。
【００２５】
【発明の効果】
請求項１により、内筒と外筒との取付強度を低下させることなく、内筒の外面と外筒の内面との間に十分な大きさの空気通路を確保できる。
【００２６】
請求項２により、外筒内面と内筒外面との間の、内方凸部の相互間及び外方凸部の相互間に、より一層、十分な空気流量が得られる大きな空気通路を形成することができる。
【００２７】
請求項３により、外方凸部と内方凸部とを、確実に乗り越え係合させることができる。
【００２８】
請求項４により、内筒の閉塞部の外観が向上し、さらに、内筒と外筒との取付強度が低下するおそれがない。
【図面の簡単な説明】
【図１】本発明の一実施例を示す縦断面図である。
【図２】図１のＡ−Ａ線拡大断面図である。
【図３】図１のＢ−Ｂ線拡大断面図である。
【図４】図１の外筒の縦断面図である。
【図５】図１の内筒を正面から見た図である。
【図６】図１の内筒を側面から見た図である。
【図７】図１の内筒を閉塞側から見た図である。
【符号の説明】
１　筆記具のキャップ
２　外筒
２１　内方凸部
２１ａ　面取り部
２２　係合凹部
２３　膨出部
３　内筒
３１　外方凸部
３１ａ　面取り部
３２　係合凸部
３３　凹部
３４　閉塞部
３５　筒部
３６　鍔部
３６ａ　切り欠き
４　クリップ
５　ペン先シール部材
６　空気通路
６１　隙間
６２　隙間
【図１】
2004130642.tif 000003
【図２】
2004130642.tif 000004
【図３】
2004130642.tif 000005
【図４】
2004130642.tif 000006
【図５】
2004130642.tif 000007
【図６】
2004130642.tif 000008
【図７】
2004130642.tif 000009